(57)【要約】【課題】棒状体の長さ方向に沿った向きのこの棒状体の動きを阻止しながら、この棒状体を取り付け対象物に適切に取り付けることができるようにする。【解決手段】開放部１０に臨んだ二つの端部１１、１１の間より棒状体Ｒの端部Ｒａを入れ込ませた状態から、二つの端部１１、１１を突き合わさせるように閉じ込み操作可能に構成され、この操作により棒状体Ｒの端部Ｒａを保持するクランプ部１と、開放部１０を挟んだ一方側に連接された第一脚部構成体２０と、他方側に連接された第二脚部構成体２０とよりなり、クランプ部１の閉じ込み操作により組み合わされるこの両脚部構成体２０、２０によって取り付け用穴Ｐａに入れ込み可能となる取り付け用脚部２とを備えている。クランプ部１には、棒状体Ｒの保持状態において棒状体Ｒの端部Ｒａにおける末端面Ｒｂに当たってこの棒状体Ｒの長さ方向への移動を規制する規制壁１２が形成してある。【選択図】      図１
2004316796.tif 000002
【特許請求の範囲】
【請求項１】
開放部を有しこの開放部に臨んだ二つの端部の間より内方に棒状体の端部を入れ込ませた状態から、この二つの端部を突き合わさせるように閉じ込み操作可能に構成され、この操作によりこの棒状体の端部を保持するクランプ部と、
このクランプ部の外側部であって、このクランプ部の開放部を挟んだ一方側に基部を一体に連接させた第一脚部構成体と、このクランプ部の開放部を挟んだ他方側に基部を一体に連接させた第二脚部構成体とよりなり、このクランプ部の閉じ込み操作により組み合わされるこの両脚部構成体によって取り付け用穴に入れ込み可能となる取り付け用脚部とを備えており、
しかも、クランプ部には、棒状体の保持状態において、この棒状体の端部における末端面に当たってこの棒状体の長さ方向への移動を規制する規制壁が形成してあることを特徴とする棒状体の端部保持具。
【請求項２】
第一脚部構成体及び第二脚部構成体のいずれか一方に、クランプ部の閉じ込み操作に伴って互いに掛合し合う掛合部と被掛合部のいずれか一方が、
この第一脚部構成体及び第二脚部構成体の他方に、この掛合部と被掛合部の他方が備えられていることを特徴とする請求項１記載の棒状体の端部保持具。
【発明の詳細な説明】
【０００１】
【発明の属する技術分野】
この発明は、棒状体の端部を、この棒状体の取り付け対象物に取り付けるために用いられる棒状体の保持具の改良に関する。
【０００２】
【従来の技術】
開放部を備えた保持環体と、この保持環体の開放部の両側に脚部を備えており、保持環体に開放部から長尺物を入れ込ませた後、この脚部を取り付け対象物に形成させた取り付け用穴に入れ込んで、かかる取り付け対象物にかかる長尺物を取り付けるようにした保持具として、特許文献１に示されるものがある。
【０００３】
【特許文献１】
実開昭５７−１７５４７３号公報
【０００４】
【発明が解決しようとする課題】
しかるに、かかる保持具によって棒状体を保持しようとした場合、棒状体が取り付け対象物から離れ出す向きの動きは阻止できるが、棒状体の長さ方向に沿った向きの動きは阻止できない。
【０００５】
そこで、この発明は、この種の保持具において、棒状体の長さ方向に沿った向きのこの棒状体の動きを阻止しながら、この棒状体を取り付け対象物に適切に取り付けることができるようにすることを主たる目的とする。
【０００６】
【課題を解決するための手段】
前記目的を達成するために、請求項１記載の発明にあっては、棒状体の端部保持具が、以下の（１）〜（３）の構成を備えたものとした。
（１）開放部を有しこの開放部に臨んだ二つの端部の間より内方に棒状体の端部を入れ込ませた状態から、この二つの端部を突き合わさせるように閉じ込み操作可能に構成され、この操作によりこの棒状体の端部を保持するクランプ部と、
（２）このクランプ部の外側部であって、このクランプ部の開放部を挟んだ一方側に基部を一体に連接させた第一脚部構成体と、このクランプ部の開放部を挟んだ他方側に基部を一体に連接させた第二脚部構成体とよりなり、このクランプ部の閉じ込み操作により組み合わされるこの両脚部構成体によって取り付け用穴に入れ込み可能となる取り付け用脚部とを備えており、
（３）しかも、クランプ部には、棒状体の保持状態において、この棒状体の端部における末端面に当たってこの棒状体の長さ方向への移動を規制する規制壁が形成してある。
【０００７】
かかる構成によれば、クランプ部には、棒状体の端部を、その長さ方向に交叉する向きより、開放部から受け入れさせることができる。また、かかるクランプ部は、このようにクランプ部に棒状体の端部を受け入れた状態から、開放部に臨んだ二つの端部を突き合わせるように閉じ込み操作することができ、そしてこの閉じ込み操作によって閉鎖されたクランプ部の内部空間内において棒状体の端部を保持することができる。
【０００８】
また、クランプ部に前記のように棒状体の端部を保持させた後、取り付け用脚部を取り付け対象物の取り付け用穴に入れ込ませることによって、端部保持具を介して棒状体の端部を取り付け対象物に取り付けさせることができる。
【０００９】
また、前記規制壁によって、棒状体の端部をクランプ部の閉じ込み状態において、この棒状体の長さ方向への移動も規制させた状態で保持することができる。また、この規制壁によって、保持された棒状体の端部をその末端面も含めてクランプ部により覆うようにもすることができ、取り付け対象物への棒状体の取り付け位置における意匠性を向上させることができる。
【００１０】
また、請求項２記載の発明にあっては、請求項１記載の棒状体の端部保持具における第一脚部構成体及び第二脚部構成体のいずれか一方に、クランプ部の閉じ込み操作に伴って互いに掛合し合う掛合部と被掛合部のいずれか一方が、
この第一脚部構成体及び第二脚部構成体の他方に、この掛合部と被掛合部の他方が備えられていることを特徴としている。
【００１１】
かかる構成によれば、クランプ部の閉じ込み操作によって組み合わされる両脚部構成体のこの組み合わせ状態を、安定的に確保させることができる。そしてまた、これにより、クランプ部の閉じ込み状態を維持させることができる。
【００１２】
【発明の実施の形態】
以下、図１ないし図１０に基づいて、この発明の典型的な実施の形態について説明する。
【００１３】
なお、ここで図１ないし図５は、実施の形態にかかる保持具Ｈをそれぞれ表しており、また、図６ないし図１０は、クランプ部１を閉じ込み状態としてこのクランプ部１によって棒状体Ｒの端部Ｒａを保持した状態をそれぞれ示している。なお、図３は、図１におけるＢ矢視方向から見える保持具Ｈの一部のみを表しており、また、図５は、図１におけるＤ矢視方向から見える保持具Ｈの一部のみを表している。
【００１４】
この実施の形態にかかる棒状体Ｒの端部保持具Ｈは、棒状体Ｒの端部Ｒａを、この保持具Ｈを介して、この棒状体Ｒの取り付け対象物Ｐに取り付けるために用いられるものである。
【００１５】
かかる端部保持具Ｈは、クランプ部１と、取り付け用脚部２とを備えている。
【００１６】
クランプ部１は、開放部１０を有しこの開放部１０に臨んだ二つの端部１１、１１の間より内方に棒状体Ｒの端部Ｒａを入れ込ませた状態から、この二つの端部１１、１１を突き合わさせるように閉じ込み操作可能に構成され、この操作によりこの棒状体Ｒの端部Ｒａを保持するように構成されている。
【００１７】
すなわち、かかるクランプ部１は、棒状体Ｒの端部Ｒａを、その長さ方向に交叉する向きより、開放部１０からクランプ部１の内方に受け入れることができるように構成されている。また、かかるクランプ部１は、このようにクランプ部１に棒状体Ｒの端部Ｒａを受け入れた状態から、開放部１０に臨んだ二つの端部１１、１１を突き合わせるように閉じ込み操作することができ、そしてこの閉じ込み操作によって閉鎖されたクランプ部１の内部空間内において棒状体Ｒの端部Ｒａが保持される。
【００１８】
図示の例では、棒状体Ｒは丸棒状をなすように構成されている。そして、クランプ部１も、前記閉じ込み操作によって、保持される棒状体Ｒの長さ方向に直交する向きの断面内郭形状を、ほぼ円形とするように構成されている。このクランプ部１の円形の断面内郭形状の径は棒状体Ｒの径とほぼ等しくなっているが、棒状体Ｒの端部Ｒａは、クランプ部１に対して、前記開放部１０を通じて入れ込まれ、この入れ込みの後のこのクランプ部１の閉じ込み操作によって保持されることから、この保持状態において棒状体Ｒをガタつきなく保持できると共に、開放部１０を通じた棒状体Ｒの端部Ｒａの前記入れ込みはスムースに行うことが可能とされる。
【００１９】
一方、取り付け用脚部２は、前記クランプ部１の外側部であって、このクランプ部１の開放部１０を挟んだ一方側に基部を一体に連接させた第一脚部構成体２０と、このクランプ部１の開放部１０を挟んだ他方側に基部を一体に連接させた第二脚部構成体２０とよりなり、このクランプ部１の閉じ込み操作により組み合わされるこの両脚部構成体２０、２０によって取り付け用穴Ｐａに入れ込み可能となるように構成されている。
【００２０】
すなわち、かかる取り付け用脚部２は、クランプ部１の前記閉じ込み操作によって互いに組み合わされる第一脚部構成体２０と第二脚部構成体２０とによって構成されるようになっている。
【００２１】
クランプ部１に前記のように棒状体Ｒの端部Ｒａを保持させた後、この取り付け用脚部２を取り付け対象物Ｐの取り付け用穴Ｐａに入れ込ませることによって、端部保持具Ｈを介して棒状体Ｒの端部Ｒａを取り付け対象物Ｐに取り付けさせることができる。
【００２２】
図示の例にあっては、取り付け用脚部２は、筒一端部をクランプ部１に一体に連接させた円筒状をなすように構成されている。そして、取り付け対象物Ｐに貫通状態に設けられた丸穴状をなす取り付け用穴Ｐａに入れ込まれるようになっている。
【００２３】
かかる取り付け用脚部２は、その側部であって、直径方向両側位置にそれぞれ、前記取り付け用穴Ｐａへのこの取り付け用脚部２の入れ込みに伴って一旦内向きに弾性変形した後、この取り付け用穴Ｐａに取り付け用脚部２を入れ込み切った位置で弾性復帰して、この取り付け用穴Ｐａの入れ込み先側の穴縁部に掛合面２１ｄを掛合させる弾性掛合片２１を備えている。
【００２４】
具体的には、図示の例にあっては、クランプ部１における取り付け用脚部２との連接箇所が取り付け用穴Ｐａにおけるこの取り付け用脚部２の入れ込み手前側の穴縁部に突き当てられた位置までこの取り付け用脚部２に取り付け用脚部２を入れ込むことができるようになっている。
【００２５】
また、前記弾性掛合片２１はそれぞれ、取り付け用脚部２の筒軸線に沿った向きに延びる一対の縦向きの割溝２１ａ、２１ａと、この取り付け用脚部２のクランプ部１との連接側においてこの一対の縦向きの割溝２１ａ、２１ａの溝端間に亘る横向きの割溝２１ｂとによって、取り付け用脚部２の側部を区分させることにより形成されている。すなわち、図示の例では、かかる弾性掛合片２１は、取り付け用脚部２の先端側を中心として取り付け用脚部２の内方に向けて弾性変形可能なように構成されている。そして、この弾性掛合片２１の外面部に、クランプ部１の側に向いた掛合面２１ｄを備えた突部２１ｃが形成されている。一対の弾性掛合片２１、２１に形成された突部２１ｃの頂部２１ｅ間の間隔は、取り付け用穴Ｐａの径よりもやや大きくなるようにしてある。また、この突部２１ｃにおける頂部２１ｅを挟んだ掛合面２１ｄと反対の側には、この頂部２１ｅに向かうに連れて次第に高まる傾斜面２１ｆが形成されている。また、かかる突部２１ｃの掛合面２１ｄとクランプ部１との間には、取り付け対象物Ｐの肉厚寸法とほぼ等しいか、これよりやや大きい間隔が形成されている。
【００２６】
棒状体Ｒの端部Ｒａを前記のようにクランプ部１に保持させた状態から、取り付け用穴Ｐａに取り付け用脚部２を入れ込むと、この取り付け用穴Ｐａの入れ込み手前側の穴縁部に弾性掛合片２１における突部２１ｃの傾斜面２１ｆが突き当たり、弾性掛合片２１は次第に内向きに撓み込まされ、取り付け用穴Ｐａへの取り付け用脚部２の入れ込みが許容される。この後、この取り付け用穴Ｐａに取り付け用脚部２が入れ込み切られると、弾性掛合片２１の突部２１ｃの頂部２１ｅが取り付け用穴Ｐａの入れ込み先側の穴縁部よりも先に入り込み、弾性掛合片２１は弾性復帰され、これにより、この取り付け用穴Ｐａの入れ込み先側の穴縁部に弾性掛合片２１は前記突部２１ｃの掛合面２１ｄを掛合させる。すなわち、図示の例にあっては、取り付け用穴Ｐａに取り付け用脚部２を入れ込ませることにより、取り付け対象物Ｐに対し取り付け用脚部２をワンタッチで掛合させ、この掛合を通じて保持した棒状体Ｒの端部Ｒａを安定的に取り付け対象物Ｐに取り付けさせることができるようになっている。
【００２７】
図示の例では、かかる取り付け用脚部２は、クランプ部１に保持される棒状体Ｒの長さ方向に直交する向きの仮想の面ｘによって、二つに区分されたようになっており、（図９）このように区分された一方が前記第一脚部構成体２０となり、他方が第二脚部構成体２０となるようにしてある。それぞれの脚部構成体２０に一つづつ、前記弾性掛合片２１が形成されている。そして、この第一脚部構成体２０と第二脚部構成体２０とは、前記仮想の面ｘによって区分された側の面（以下、組み合わせ面２０ａという。）を、前記クランプ部１の閉じ込み操作によって接し合わせるようにして組み合わされ、一緒になって取り付け用脚部２を構成するようになっている。
【００２８】
また、前記クランプ部１には、棒状体Ｒの保持状態において、この棒状体Ｒの端部Ｒａにおける末端面Ｒｂに当たってこの棒状体Ｒの長さ方向への移動を規制する規制壁１２が形成されている。
【００２９】
これにより、この実施の形態にあっては、棒状体Ｒの端部Ｒａをクランプ部１の閉じ込み状態において、この棒状体Ｒの長さ方向への移動も規制させた状態で保持することができる。また、前記規制壁１２によって、保持された棒状体Ｒの端部Ｒａをその末端面Ｒｂも含めてクランプ部１により覆うことができ、取り付け対象物Ｐへの棒状体Ｒの取り付け位置における意匠性を向上させることができる。
【００３０】
図示の例にあつては、クランプ部１は、前記閉じ込み状態において、棒状体Ｒの長さ方向に沿って長い筒状をなすように構成されている。すなわち、かかるクランプ部１は、このようになる筒状体に対し、その長さ方向に沿った割り欠きを施すようにして構成されている。前記閉じ合わせ前の状態においては、この割り欠かれた箇所が前記開放部１０となるようになっている。（図１）
【００３１】
この開放部１０によって、クランプ部１はその内方にこの開放部１０に臨んだ端部１１を持つ。また、図示の例にあっては、この端部１１と背中合わせの位置となる箇所に、クランプ部１の長さ方向に沿った鍔部１３が形成されており、閉じ込み状態においては、この鍔部１３の一面が取り付け対象物Ｐの一面に接する位置まで前記取り付け用穴Ｐａに取り付け用脚部２を入れ込めるようになっている。
【００３２】
図示の例では、このように構成されるクランプ部１における開放部１０と反対の箇所を中心として、この箇所を弾性変形させながら、クランプ部１を閉じ込み操作できるようにしてある。（以下、この箇所を弾性変形中心１４という。）
【００３３】
また、図示の例にあっては、規制壁１２は、閉じ込み状態において筒状をなすクランプ部１における一方の筒口のほぼ全体を、この閉じ込み状態において塞ぐように構成されている。
【００３４】
具体的には、図示の例にあっては、かかる規制壁１２は、左右二つの規制壁構成板１２ａ、１２ａに区分されている。
【００３５】
一方の規制壁構成板１２ａは、クランプ部１の前記弾性変形中心１４と開放部１０に臨んだ一方の端部１１とを通る直線に沿って位置させる突き合わせ端縁１２ｂを有すると共に、クランプ部１の一方の筒口部の内壁に沿ってこの内壁に一体に連接された湾曲縁１２ｃとを有している。
【００３６】
また、他方の規制壁構成板１２ａは、クランプ部１の前記弾性変形中心１４と開放部１０に臨んだ他方の端部１１とを通る直線に沿って位置させる突き合わせ端縁１２ｂを有すると共に、クランプ部１の一方の筒口部の内壁に沿ってこの内壁に一体に連接された湾曲縁１２ｃとを有している。
【００３７】
そして、図示の例にあっては、クランプ部１を閉じ込み操作させることに伴って両規制壁構成板１２ａ、１２ａの突き合わせ端縁１２ｂ同士が突き合わされて、閉じ込み状態において筒状をなすクランプ部１の一方の筒口を塞ぐようになっている。棒状体Ｒは、このように突き合わせ端縁１２ｂ同士を突き合わさせた両規制壁構成板１２ａ、１２ａにおける内面に末端面Ｒｂを突き当て可能とした状態で、クランプ部１に保持される。（図９、図１０）
【００３８】
図示の例にあっては、両規制壁構成板１２ａ、１２ａ共に、前記弾性変形中心１４にこの規制壁構成板１２ａを連接させないように、この弾性変形中心１４側においてその一部が切り欠かれており、この切り欠き１２ｄによって、弾性変形中心１４を中心としたクランプ部１の閉じ込み操作に支障を生じさせないようにしてある。
【００３９】
図示の例と異なり、規制壁１２は、クランプ部１の内部空間のほぼ全体を覆わないように形成しておくこともできる。また、筒状をなすクランプ部１の両筒口の間の任意の箇所に設けておくこともできる。
【００４０】
また、この実施の形態にあっては、第一脚部構成体２０及び第二脚部構成体２０のいずれか一方に、クランプ部１の閉じ込み操作に伴って互いに掛合し合う掛合部２１ｇと被掛合部２１ｋのいずれか一方が、
この第一脚部構成体２０及び第二脚部構成体２０の他方に、この掛合部２１ｇと被掛合部２１ｋの他方が備えられている。
【００４１】
これにより、この実施の形態にあっては、クランプ部１の閉じ込み操作によって組み合わされる両脚部構成体２０、２０のこの組み合わせ状態を、安定的に確保させることができる。そしてまた、これにより、クランプ部１の閉じ込み状態を維持させることができる。
【００４２】
具体的には、図示の例にあっては、図１において、右側に位置される脚部構成体２０の基部側、つまり、図１における上部に前記掛合部２１ｇが設けられていると共に、
図１において、左側に位置される脚部構成体２０の基部側、つまり、図１における上部に前記被掛合部２１ｋが設けられている。
【００４３】
図示の例では、掛合部２１ｇは、前記組み合わせ面２０ａから突き出す突部２１ｈとして、また、被掛合部２１ｋは、前記組み合わせ面２０ａから窪み込んだこの突部２１ｈの納まる大きさの凹部２１ｍとして構成されている。
【００４４】
突部２１ｈは、前記閉じ込み操作における脚部構成体２０の移動後方側にこの脚部構成体２０の中心線に沿った掛合面２１ｉを有すると共に、脚部構成体２０の移動前方側にこの移動前方側から後方側に向けて次第にこの突部２１ｈの高さを高める向きに傾斜した傾斜面２１ｊを有している。
【００４５】
一方、凹部２１ｍは、前記閉じ込み操作における脚部構成体２０の移動前方側にある凹部２１ｍ壁面をこの脚部構成体２０の中心線に沿った被掛合面２１ｎとすると共に、脚部構成体２０の移動後方側にこの移動後方側から前方側に向けて次第にこの凹部２１ｍの深さを深める向きに傾斜した傾斜面２１ｏを有している。
【００４６】
そして、図示の例にあっては、クランプ部１の前記閉じ込み操作に伴って、突部２１ｈの傾斜面２１ｊが凹部２１ｍが設けられている側の脚部構成体２０の組み合わせ面２０ａに接してこの突部２１ｈの突き出し寸法分、両脚部構成体２０、２０の組み合わせ面２０ａ間の間隔を広げ出させる向きにクランプ部１を一旦弾性変形させるように構成されている。そして、この閉じ込み操作を終了した位置において、凹部２１ｍに突部２１ｈが入り込めるようにしてあり、この位置におけるクランプ部１の弾性復帰によって凹部２１ｍに突部２１ｈが入り込み、凹部２１ｍの被掛合面２１ｏに突部２１ｈの掛合面２１ｉが掛合されるようになっている。
【００４７】
なお、図示の例にあっては、凹部２１ｍが設けられている脚部構成体２０の先端側にその組み合わせ面２０ａから突き出す底面視の状態で円弧状の突き出し縁を有する補助掛合突部２１ｐが設けられていると共に、
突部２１ｈが設けられている脚部構成体２０の先端側にその組み合わせ面２０ａから窪み込む補助掛合凹部２１ｑが設けられており、
クランプ部１の閉じ込み状態において、この補助掛合突部２１ｐが補助掛合凹部２１ｑに入り込むようになっている。
【００４８】
なお、以上に説明した端部保持具Ｈにおける弾性変形特性を有する部分へのこの弾性変形特性の付与は、典型的には、かかる端部保持具Ｈをプラスチック材料を用いた射出成形によって成形することで容易に確保することができる。
【００４９】
【発明の効果】
この発明にかかる棒状体の端部保持具によれば、棒状体の長さ方向に沿った向きのこの棒状体の動きを阻止しながら、この棒状体の端部を取り付け対象物に適切に取り付けることができる。
【図面の簡単な説明】
【図１】保持具Ｈの正面図
【図２】図１におけるＡ矢視方向から保持具Ｈを見て示した側断面図
【図３】図１におけるＢ矢視方向から保持具Ｈを見て示した要部底面図
【図４】図１におけるＣ矢視方向から保持具Ｈを見て示した側断面図
【図５】図１におけるＤ矢視方向から保持具Ｈを見て示した要部底面図
【図６】保持具Ｈの使用状態を示した正面図
【図７】同平面図
【図８】同背面図
【図９】同一部破断側面図
【図１０】同水平断面図
【符号の説明】
Ｒ  棒状体
Ｒａ  端部
Ｒｂ  末端面
Ｐ  取り付け対象物
Ｐａ  取り付け用穴
Ｈ  保持具
１  クランプ部
１０  開放部
１１  端部
１２  規制壁
２  取り付け用脚部
２０  脚部構成体
【図１】
2004316796.tif 000003
【図２】
2004316796.tif 000004
【図３】
2004316796.tif 000005
【図４】
2004316796.tif 000006
【図５】
2004316796.tif 000007
【図６】
2004316796.tif 000008
【図７】
2004316796.tif 000009
【図８】
2004316796.tif 000010
【図９】
2004316796.tif 000011
【図１０】
2004316796.tif 000012